(57)【要約】【課題】映像信号のガンマ補正処理によって生じるＡＰＬ変動分の補正を液晶バネルのバックライト輝度を変化させて行い、黒潰れ・白潰れを低減し、階調豊かな画像表示をおこなうことができる映像表示装置を提供する。【解決手段】液晶パネル１３ａと、液晶パネル１３ａを背面側から照射するバックライトユニット１３ｂとを備えたパネルモジュール１３に接続可能であり、画像表示する際に、入力映像の最明暗部を含む画像全域に亘り階調数を等しくするためのガンマ補正カーブを決定し、決定したガンマ補正カーブに応じて入力映像を補正した補正入力映像を生成出力し、かつ入力映像の輝度の平均値に対する補正入力映像の輝度の平均値の差分に応じて、補正入力映像を照射表示する際の照射光量を調整する調整信号を生成出力する。【選択図】図２
2009086222.tif 000002
【特許請求の範囲】
【請求項１】
入力映像を画像表示する表示パネルと、前記表示パネルを背面側から照射する光源とを備えた映像表示装置に接続可能であり、かつ
前記入力映像を画像表示する際に、当該入力映像の最明暗部を含む画像全域に亘り階調数を等しくするためのガンマ補正カーブを決定し、決定した当該ガンマ補正カーブに応じて前記入力映像を補正して得た補正入力映像を出力し、かつ前記入力映像の輝度の平均値に対する前記補正入力映像の輝度の平均値の差分に応じて、前記補正入力映像を画像表示する際の照射光量を調整する調整信号を生成出力する映像補正装置であって、
前記入力映像の輝度レベル分布であるヒストグラム及び前記入力映像の平均値、最大値、最小値をそれぞれ検出して出力する第１の検出部と、
前記ガンマ補正カーブを、前記第１の検出部から出力する検出結果に基づいて決定し、決定した当該ガンマ補正カーブに応じて前記入力映像を補正して得た前記補正入力映像を生成して、前記表示パネルへ出力する補正部と、
前記補正部から出力する前記補正入力映像の輝度の平均値を検出する第２の検出部と、
前記第１の検出部から出力する前記輝度の平均値と、前記第２の検出部から出力する前記輝度の平均値との差分を検出して出力する第３の検出部と、
前記第３の検出部から出力する差分信号に応じて、前記補正入力映像を画像表示する際の照射光量を調整する前記調整信号を生成して、前記光源へ出力する出力部とを備えたことを特徴とする映像補正装置。
【請求項２】
入力映像を画像表示する際に、当該入力映像の最明暗部を含む画像全域に亘り階調数を等しくするように画像表示を行うためのガンマ補正カーブを決定し、決定した当該ガンマ補正カーブに応じて前記入力映像を補正して得た補正入力映像を出力し、かつ前記入力映像の輝度の平均値に対する前記補正入力映像の輝度の平均値の差分に応じて、前記補正入力映像を画像表示する際の照射光量を調整するための調整信号を生成出力する映像補正装置と、
前記映像補正装置から出力する前記補正入力映像を表示する表示パネルと、
前記映像補正装置から出力する前記調整信号を入力し、かつ前記表示パネルを背面側から照射する光源と、を備えた映像表示装置であって、
前記映像補正装置は、
前記入力映像の輝度レベル分布であるヒストグラム及び前記入力映像の輝度の平均値、最大値、最小値をそれぞれ検出して出力する第１の検出部と、
前記ガンマ補正カーブを、前記第１の検出部から出力する検出結果に基づいて決定し、決定した当該ガンマ補正カーブに応じて前記入力映像を補正して得た前記補正入力映像を生成し、前記表示パネルへ出力する第１の補正部と、
前記第１の補正部から出力する前記補正入力映像の輝度の平均値を検出する第２の検出部と、
前記第１の検出部から出力する前記輝度の平均値と、前記第２の検出部から出力する前記輝度の平均値との差分を検出して出力する第３の検出部と、
前記第３の検出部から出力する差分信号に応じて、前記補正入力映像を画像表示する際の照射光量を調整する前記調整信号を生成して、前記光源へ出力する出力部とを備えたことを特徴とする映像表示装置。
【発明の詳細な説明】
【技術分野】
【０００１】
本発明は、画像表示を行うための入力映像の輝度を分析して、画面全体が均一な階調数で黒潰れや白潰れが生じない画像表示を可能とする映像補正装置、及び、この映像補正装置を備えた映像表示装置に関する。
【背景技術】
【０００２】
図４は従来の映像補正装置の構成を示すブロック図である。
従来の映像補正装置Ａは、画像表示を行うための入力映像の輝度成分を分析し、図示せぬ液晶表示パネルにて画面全体が均一な階調数の明るさで画像表示を行うために、入力映像に対して、ガンマ補正等の必要な輝度調整を行うための映像補正装置である。また、この映像補正装置Ａは、図示せぬ液晶表示装置（以下「ディスプレイ装置」と記す）に内蔵可能な構成を有している。
【０００３】
映像補正装置Ａは、図４に示すように、第１の映像特徴検出部１、利得制御処理部２、第１の階調可変利得処理部３、第２の映像特徴検出部４、補正制御処理部５、ＡＰＬ（Ａｖｅｒａｇｅ  Ｐｉｃｔｕｒｅ  Ｌｅｖｅｌ、以下「ＡＰＬ」と記す）補正処理部６、第２の階調可変利得処理部７を有している。
【０００４】
第１の映像特徴検出部１、利得制御処理部２、第１の階調可変利得処理部３は、装置Ａの入力側に位置する第１ステップ部を構成し、また、第２の映像特徴検出部４、補正制御処理部５、ＡＰＬ補正処理部６、第２の階調可変利得処理部７は、装置Ａの出力側に位置する第２ステップ部を構成している。
【０００５】
前記した第１の映像特徴検出部１及び第１の階調可変利得処理部３には、装置Ａの外部から供給される入力映像信号から抽出した入力輝度信号Ｙｉｎが、それぞれ供給される。第１の映像特徴検出部１は、入力輝度信号Ｙｉｎの輝度レベル分布（ヒストグラム）、輝度平均値（ＡＰＬ）、輝度の最大値（ＭＡＸ）、輝度の最小値（ＭＩＮ）をそれぞれ検出出力する。そして、これら検出結果は、第１の映像特徴検出部１から利得制御処理部２及び補正制御処理部５へそれぞれ供給される。
【０００６】
前記した利得制御処理部２は、第１の映像特徴検出部１から供給される各検出結果に応じて、図示せぬ液晶表示パネルにて表示画面全体が均一な階調数の明るさになるように、入出力輝度特性（ガンマカーブ）を決定する。そして利得制御処理部２はこのガンマカーブに応じた利得制御信号を第１の階調可変利得処理部３へ出力する。
【０００７】
これにより、第１の階調可変利得処理部３は、入力輝度信号Ｙｉｎを供給される利得制御信号に応じて生成したガンマカーブで調整して得た出力輝度信号Ｙｏｕｔ１を、第２の映像特徴検出部４及びＡＰＬ補正制御処理部６へそれぞれ出力する。
【０００８】
前記した第２の映像特徴検出部４は、第１の階調可変利得処理部３から供給される出力輝度信号Ｙｏｕｔ１の輝度の特徴（ヒストグラム、ＡＰＬ、ＭＡＸ、ＭＩＮ）を検出し、この検出結果を補正制御処理部５へ供給する。
【０００９】
前記した補正制御処理部５は、第１の映像特徴検出部１から供給された各検出結果と、第２の映像特徴検出部４から供給された各検出結果とに基づいて、ＡＰＬ補正制御データを生成し、ＡＰＬ補正処理部６へ出力する。同時に、映像特徴検出結果に基づいた最適なガンマカーブの形状を指定するための階調可変制御データを生成し、階調可変利得処理部７へ出力する。
【００１０】
前記したＡＰＬ補正処理部６は、第１の階調可変利得処理部３から供給される出力輝度信号Ｙｏｕｔ１を、補正制御処理部５から供給されるＡＰＬ補正制御データを用いて、ＡＰＬ補正処理を行い、このＡＰＬ補正処理を行って得た補正出力輝度信号を第２の階調可変利得処理部７へ出力する。
【００１１】
前記した第２の階調可変利得処理部７は、補正制御処理部５から供給される前記階調可変制御データに基づいて、前記補正出力輝度信号をさらに補正して、補正輝度信号Ｙｏｕｔ２を出力する。この補正輝度信号Ｙｏｕｔ２はＲＧＢ信号と共に液晶表示パネルに供給され、ここで画像表示される。
以上が、第２ステップの処理である。
【００１２】
ここで、前記した第１ステップのガンマ処理について説明する。
第１ステップは、前述したように、ヒストグラム、ＡＰＬ、ＭＡＸ、ＭＩＮをそれぞれ検出し、この検出結果により導き出された階調可変利得処理を行う。この階調可変利得処理の特性の一例を、図５に示す。
【００１３】
図４に示すように、破線Iで示すゲイン＝１の特性は、入力輝度信号Ｙｉｎが第１の階調可変利得処理部３をスルー出力する状態を示している。これに対して、実線IIは中間階調が浮く（明るい）状態の特性を示している。
【００１４】
実線IIで示すガンマ特性は、出力信号レベルの中心部がその周囲に比べて明るく浮く現象を示しており、カーブの実線IIが直線の実線Iと交差していない。この実線（カーブ）IIを使ってガンマ処理を行った場合、第１の映像特徴検出部１で検出した入力輝度信号ＹｉｎのＡＰＬ値と、第２の映像特徴検出部４で検出した出力輝度信号Ｙｏｕｔ１のＡＰＬ値とでは、後者の方がプラス側に変動する。図６はＡＰＬ変動分がプラスになる時の入力輝度信号Ｙｉｎのヒストグラムの一例を示している。
【００１５】
こうした実線（カーブ）IIを有する出力輝度信号Ｙｏｕｔ１を液晶表示パネルで画像表示すると、液晶表示パネルの画面全体の明るさが、破線（直線）Iを有する入力輝度信号Ｙｉｎを表示した場合と比べて、増大してしまう。このため、出力輝度信号Ｙｏｕｔ１においてもＡＰＬ値が変動しないように、ガンマ補正処理前後のＡＰＬ値の差を「０」にするように、ＡＰＬ補正処理部６で、第１の階調可変利得処理部３から供給される出力輝度信号Ｙｏｕｔ１のＡＰＬ補正処理を行う。
【００１６】
このＡＰＬ補正の特性を図７に示す。ＡＰＬ補正処理部６で行うＡＰＬ補正処理は、前記した出力輝度信号Ｙｏｕｔ１をオフセットすることにより行われ、図示する場合、前記した破線Iで示すゲイン＝１の特性を、矢印で示すように、一律下げ、実線IIIで示す特性とする。
【００１７】
しかしながら、上記したＡＰＬ補正処理までを含めてガンマ補正処理と考えると、等価的には図８に示す実線IVで示すガンマカーブを適用していることに等しくなる。この結果、実線（ガンマカーブ）IVの出力が「０」固定になっている低輝度部分では画像情報が欠落し、いわゆる黒潰れを招く。一方、図５で示すガンマカーブと逆特性のカーブで処理を行う場合には、高輝度部分でガンマカーブの出力が「１０２３」固定になり画像情報が欠落、いわゆる白潰れを招く。
【００１８】
この黒潰れ、白潰れの発生を防止するために、特開２００６−３１１１０２号公報（特許文献１）に記載された発明は、上記したＡＰＬ補正処理を行う際、図９の実線Vに示すように、黒側の特性を寝かせる（即ち、実線Vで示す特性のうち低階調の実線部分V1を、これ以外の実線部分V2に比較して、その傾きを緩やかにする）ことにより、低階調の実線部分V1においても出力が「０」固定とならず、黒潰れを軽減できる。また同様に、白潰れも軽減することが開示されている。
【特許文献１】特開２００６−３１１１０２号公報
【発明の開示】
【発明が解決しようとする課題】
【００１９】
しかしながら、特許文献１に記載された発明では、黒潰れや白潰れは軽減できるものの、図９に示すように、特性Vの低階調の実線部分V1では、これ以外の実線部分V2に比べて、輝度レベルのダイナミックレンジが圧縮されている状態であるから、この実線部分V1ではＡＰＬ処理前よりも処理後には階調数が減少してしまい、この結果、表示画像の暗部、明部におけるコントラスト感の低下も起きやすい問題が生じていた。
【００２０】
詳しくは、図６に示すヒストグラムを持つ入力映像に対してガンマ処理を行うときには、図５に示した中間階調が浮くような特性（実線II）になるが、画像のコントラスト感を低下させないためには最も頻度の多い暗部の情報を忠実に明瞭に表示することが大切である。このために、画像の暗部である実線部分V1の傾きをより大きくして階調を拡大し、暗部のコントラスト感の低下を防止したいのであるが、上記したように、黒潰れを軽減するためにこの実線部分V1はＡＰＬ処理後、元の階調数よりも階調数が減少してしまっているので、この画像の暗部のコントラスト感が低下することになっていた。
【００２１】
このように、従来は、図５のようなヒストグラムを持つ入力映像に対してガンマ処理を行う場合、ＡＰＬ補正処理により画像全体をガンマ処理前と等しい明るさで表示して、かつ黒潰れ、白潰れの発生を軽減することはできるものの、画像暗部または画像明部における各階調数はガンマ処理前に比べて減少するため、ガンマ処理の効果を高められないという問題があった。
【００２２】
そこで本発明は、このような問題に着目し、これを有効に解決すべく創案されたものであり、入力映像信号（入力輝度信号）のガンマ補正処理によって生じるＡＰＬ変動分の補正を、当該映像信号を画像表示するための表示パネルのバックライト輝度を変化させて行うことにより、従来生じていた黒潰れ、白潰れをさらに軽減し、かつ階調豊かな画像表示を行うことができる映像補正装置、及び、この映像補正装置を備えた映像表示装置を提供することを目的とする。
【課題を解決するための手段】
【００２３】
そこで本発明は、上記した課題を解決するために、下記する（１），（２）の構成を有する映像補正装置及び映像表示装置を提供する。
（１）  入力映像を画像表示する表示パネル１３ａと、前記表示パネル１３ａを背面側から照射する光源１３ｂとを備えた映像表示装置に接続可能であり、かつ
前記入力映像を画像表示する際に、当該入力映像の最明暗部を含む画像全域に亘り階調数を等しくするためのガンマ補正カーブを決定し、決定した当該ガンマ補正カーブに応じて前記入力映像を補正して得た補正入力映像を出力し、かつ前記入力映像の輝度の平均値に対する前記補正入力映像の輝度の平均値の差分に応じて、前記補正入力映像を画像表示する際の照射光量を調整する調整信号を生成出力する映像補正装置Ｃであって、
前記入力映像の輝度レベル分布であるヒストグラム及び前記入力映像の平均値、最大値、最小値をそれぞれ検出して出力する第１の検出部１と、
前記ガンマ補正カーブを、前記第１の検出部から出力する検出結果に基づいて決定し、決定した当該ガンマ補正カーブに応じて前記入力映像を補正して得た前記補正入力映像を生成して、前記表示パネル１３ａへ出力する（利得制御処理部２と階調可変利得処理部１１とから構成される）補正部と、
前記補正部から出力する前記補正入力映像の輝度の平均値を検出する第２の検出部４と、
前記第１の検出部１から出力する前記輝度の平均値と、前記第２の検出部から出力する前記輝度の平均値との差分を検出して出力する第３の検出部５と、
前記第３の検出部５から出力する差分信号に応じて、前記補正入力映像を画像表示する際の照射光量を調整する前記調整信号を生成して、前記光源へ出力する出力部１２とを備えたことを特徴とする映像補正装置。
（２）入力映像を画像表示する際に、当該入力映像の最明暗部を含む画像全域に亘り階調数を等しくするように画像表示を行うためのガンマ補正カーブ（ガンマカーブ）を決定し、決定した当該ガンマ補正カーブに応じて前記入力映像を補正して得た補正入力映像を出力し、かつ前記入力映像の輝度の平均値（ＡＰＬ）に対する前記補正入力映像の輝度の平均値の差分に応じて、前記補正入力映像を画像表示する際の（背面側からの）照射光量を調整するための調整信号（ＰＷＭ信号）を生成出力する映像補正装置Ｃと、
前記映像補正装置Ｃから出力する前記補正入力映像を表示する表示パネル（液晶パネル）１３ａと、
前記映像補正装置Ｃ（変調部１２）から出力する前記調整信号を入力し、かつ前記表示パネル１３ａを背面側から照射する光源（バックライト）１３ｂと、
を備えた映像表示装置Ｂであって、
前記映像補正装置Ｃは、
前記入力映像の輝度レベル分布であるヒストグラム及び前記入力映像の輝度の平均値、最大値、最小値をそれぞれ検出して出力する第１の検出部（第１の映像特徴検出部）１と、
前記ガンマ補正カーブを、前記第１の検出部１から出力する検出結果に基づいて決定し、決定した当該ガンマ補正カーブに応じて前記入力映像を補正して得た前記補正入力映像を生成し、前記表示パネル１３ａへ出力する（利得制御処理部２と階調可変利得処理部１１とから構成される）補正部と、
前記補正部から出力する前記補正入力映像の輝度の平均値を検出する第２の検出部（第２の映像特徴検出部）４と、
前記第１の検出部１から出力する前記輝度の平均値と、前記第２の検出部４から出力する前記輝度の平均値との差分を検出して出力する第３の検出部（補正制御処理部）５と、
前記第３の検出部５から出力する差分信号に応じて、前記補正入力映像を画像表示する際の照射光量を調整する前記調整信号を生成して、前記光源１３ｂへ出力する出力部（変調部）１２とを備えたことを特徴とする映像表示装置。
【発明の効果】
【００２４】
本発明は、入力映像信号（入力輝度信号）のガンマ補正処理によって生じるＡＰＬ変動分の補正を、当該映像信号を画像表示するための表示バネルのバックライト輝度を変化させて行うことにより、従来生じていた黒潰れ、白潰れをさらに軽減し、かつ階調豊かな画像を表示することができる映像補正装置、及び、この映像補正装置を備えた映像表示装置を提供することができる。
【発明を実施するための最良の形態】
【００２５】
以下、本発明の映像補正装置、及び、この映像補正装置を備えた映像表示装置の実施の形態を説明する。
図１は本発明の映像表示装置の実施の形態を示すブロック図、図２は本発明の映像補正装置の実施の形態を示すブロック図である。
図１中、８はアンテナ、９はチューナ、１０はデコーダ、１３はパネルモジュールである。パネルモジュール１３は、液晶パネル１３ａと、バックライトユニット１３ｂとを備えている。
【００２６】
本発明の映像表示装置の実施の形態である液晶ディスプレイ装置Ｂ（図１）は、チューナ９、デコーダ１０、本発明の映像補正装置Ｃ（図２）、パネルモジュール１３を有している。アンテナ８を介して、入来するデジタル放送等の電波をチューナ９で受信し、受信した放送チャネルのビットストリームを取り出し、デコーダ１０で圧縮信号を復号することにより、ベースバンドの映像信号を得た後、映像補正装置Ｃへ出力する。なお、説明を分かりやすくするために、輝度信号について説明を行う。
【００２７】
映像補正装置Ｃは、図２に示すように、第１の映像特徴検出部１、利得制御処理部２、階調可変利得処理部１１、第２の映像特徴検出部４、補正制御処理部５、変調部１２を有している。前述した映像補正装置Ｃ（図４）と同一構成部分には同一符号を付している。階調可変利得処理部１１は上記した第１の階調可変利得処理部３と同一構成である。
【００２８】
第１の映像特徴検出部１、利得制御処理部２、階調可変利得処理部１１は、装置Ｃの入力側に位置する第１ステップを構成し、また、第２の映像特徴検出部４、補正制御処理部５、変調部１２は、装置Ｃの出力側に位置する第２ステップを構成している。
【００２９】
前記した第１の映像特徴検出部１及び階調可変利得処理部１１には、装置Ｃの外部から（デコーダ１０から出力するベースバンドの映像信号から抽出した）入力輝度信号Ｙｉｎが、それぞれ供給される。第１の映像特徴検出部１は、入力輝度信号Ｙｉｎの輝度レベル分布（ヒストグラム）、輝度平均値（ＡＰＬ）、輝度の最大値（ＭＡＸ）、輝度の最小値（ＭＩＮ）をそれぞれ検出出力する。そして、これら検出結果は、第１の映像特徴検出部１から利得制御処理部２及び補正制御処理部５へそれぞれ供給される。
【００３０】
前記した利得制御処理部２は、第１の映像特徴検出部１から供給される各検出結果に応じて、パネルモジュール１３にて表示画面全体が均一な階調数の明るさになるように、入出力輝度特性（ガンマカーブ）を決定する。そして利得制御処理部２はこのガンマカーブに応じた利得制御信号を階調可変利得処理部１１へ出力する。
【００３１】
これにより、階調可変利得処理部１１は、入力輝度信号Ｙｉｎを供給される利得制御信号に応じて生成したガンマカーブで調整して得た出力輝度信号Ｙｏｕｔ１を、第２の映像特徴検出部４及び液晶パネル１３ａへそれぞれ出力する。出力輝度信号Ｙｏｕｔ１は、この後何らの補正処理を行わず図示しない出力色信号と共に、ＲＧＢ信号に変換して液晶表示パネル１３ａに供給され、ここで画像表示される。
【００３２】
一方、前記した第２の映像特徴検出部４は、階調可変利得処理部１１から供給される出力輝度信号Ｙｏｕｔ１の輝度の特徴（ヒストグラム、ＡＰＬ、ＭＡＸ、ＭＩＮ）を検出し、この検出結果を補正制御処理部５へ供給する。
【００３３】
前記した補正制御処理部５は、第１の映像特徴検出部１から供給された各検出結果と、第２の映像特徴検出部４から供給された各検出結果とに基づいて、階調可変制御データを生成し、変調部１２へ出力する。
【００３４】
言い換えれば、補正制御処理部５は、第１の映像特徴検出部１と第２の映像特徴検出部４との各検出結果を用いて、ＡＰＬの変動分を計算し、表示画面全体の輝度を上昇または低下させるための補正量を、変調部１２へ送出する。
【００３５】
変調部１２は、液晶表示パネル１３ａに供給する出力輝度信号Ｙｏｕｔ１のガンマカーブ調整に伴って発生したＡＰＬの変動分をバックライト１３ｂの光量を制御することで置換するために、バックライトユニット１３ｂに供給するＰＷＭ（パルス幅変調）信号のデューティ比を変更する（図３）。ＰＷＭ信号を用いて行うバックライトユニット１３ｂの光量の制御は、ユーザーが面フリッカや不連続感を感じないように、そのデューティ比を細かいステップで変更して行うことが望ましい。
【００３６】
図３（ａ），（ｂ）は、変調部１２が出力するＰＷＭ信号を説明するための図である。
変調部１２は、ＰＷＭ信号をそのままバックライトユニット１３ｂに入力する場合と、図示せぬ低域フィルタでＰＷＭ信号を平滑化し、直流電圧に変換してバックライトユニット１３ｂに入力する場合との二通りがある。いずれの方法も、パルス幅(width)と周期(cycle)との比率（デューティ比）を制御してバックライト輝度を調整するものである。
【００３７】
図３（ａ）に示すように、ＰＷＭ信号のデューティ比が高ければ、バックライトユニット１３ｂに供給する直流電圧が高くなるから、液晶パネル１３ａで画像表示される画像を比較的高輝度で明るく照射できる。一方、図３（ｂ）に示すように、ＰＷＭ信号のデューティ比が低ければ、バックライトユニット１３ｂに供給する直流電圧は低くなるから、液晶パネル１３ａで画像表示される画像を比較的低輝度で暗く照射できる。
【００３８】
このように、従来は入力輝度信号を演算してＡＰＬ補正を行うため、図８又は図９に示すように、画像暗部、画像明部が潰れたり階調数が減少して、ガンマ補正処理の効果が不十分であったのに対して、本発明では、ＡＰＬの変動分をバックライト光量の調整により最終的な画面輝度を変化させて表示画像の輝度補正を行うため、輝度信号は図５のガンマカーブのまま表示デバイスである液晶パネル１３ａに供給ことができる。
【００３９】
この結果、液晶パネル１３ａにおける表示画像の暗部の黒潰れや明部の白潰れがなくなり、映像信号のダイナミックレンジをフルに使用できるとともに、ガンマ補正処理の効果を最大限に発揮することができる。
【００４０】
上記した本発明技術は液晶表示装置以外にも、画面輝度を映像信号とは独立に変更可能な方式の映像表示装置に適用可能である。
【００４１】
また、上記した本発明の映像表示装置の実施の形態である液晶ディスプレイ装置Ｂは、チューナ９を備えたＴＶ受像機としての構成を用いて説明したが、本発明の映像表示装置はこの構成に限定されることなく、チューナ９を備えていないＴＶモニタとしての構成を有しているだけであってもよく、また、チューナ９及びデコーダ１０を備えていなくても、信号圧縮されていない映像信号が入力可能であるＴＶモニタであってもよい。
【図面の簡単な説明】
【００４２】
【図１】本発明の映像表示装置の実施の形態を示すブロック図である。
【図２】本発明の映像補正装置の実施の形態を示すブロック図である。
【図３】変調部の動作を説明するための図である。
【図４】従来の映像補正装置の構成を示すブロック図である。
【図５】ガンマ補正処理の入出力特性を示すグラフである。
【図６】ガンマ補正処理によってＡＰＬ変動分がプラスになる時の、映像信号のヒストグラムを示す図である。
【図７】従来の映像補正装置におけるＡＰＬ補正処理部の特性を示すグラフである。
【図８】従来の映像補正装置におけるＡＰＬ補正処理まで含めたガンマカーブを示すグラフである。
【図９】特開２００６−３１１１０２号公報に記載されたＡＰＬ補正処理の特性を示すグラフである。
【符号の説明】
【００４３】
１  第１の映像特徴検出部（第１の検出部）
２  利得制御処理部
３  第１の階調可変利得処理部
４  第２の映像特徴検出部（第２の検出部）
５  補正制御処理部（第３の検出部）
１１  階調可変利得処理部
１２  変調部（出力部）
１３  パネルモジュール
１３ａ  液晶パネル（表示パネル）
１３ｂ  バックライトユニット（光源）
Ａ，Ｃ  映像補正装置
Ｂ  液晶ディスプレイ装置（映像表示装置）
【図１】
2009086222.tif 000003
【図２】
2009086222.tif 000004
【図３】
2009086222.tif 000005
【図４】
2009086222.tif 000006
【図５】
2009086222.tif 000007
【図６】
2009086222.tif 000008
【図７】
2009086222.tif 000009
【図８】
2009086222.tif 000010
【図９】
2009086222.tif 000011